(57)【要約】【課題】リムーバブルメディアの交換候補を柔軟に選択できる一覧表示画面を提案する。【解決手段】物理的特性を異にする複数種類のストレージメディアを組み合わせて構築したストレージシステムを階層的に管理するファイル管理装置に、以下の処理機能を搭載する。すなわち、ストレージシステムを構成するストレージメディアにリムーバブルメディアの駆動装置が含まれる場合に、オフライン管理に移行するリムーバブルメディアの検討用に、駆動装置に装填されているリムーバブルメディアを一覧表示するとき、使用開始日時、最終書き込み日時、最終読み出し日時、使用回数、ストレージシステム内の移動パス名、ストレージメディア内の記録位置別のファイル名、ストレージメディアのグループ分け情報及び断片化情報のうち少なくとも１つを表示項目とする一覧表示画面を生成する機能を搭載する。【選択図】図８
2006302012.tif 000002
【特許請求の範囲】
【請求項１】
物理的特性を異にする複数種類のストレージメディアを組み合わせて構築したストレージシステムを階層的に管理するファイル管理装置において、
前記ストレージシステムを構成するストレージメディアにリムーバブルメディアの駆動装置が含まれる場合に、
オフライン管理に移行するリムーバブルメディアの検討用に、前記駆動装置に装填されているリムーバブルメディアを一覧表示するとき、
使用開始日時、最終書き込み日時、最終読み出し日時、使用回数、ストレージシステム内の移動パス名、ストレージメディア内の記録位置別のファイル名、ストレージメディアのグループ分け情報及び断片化情報のうち少なくとも１つを表示項目とする一覧表示画面を生成する一覧表示画面生成部
を有することを特徴とするファイル管理装置。
【請求項２】
請求項１に記載のファイル管理装置において、
前記一覧表示画面を構成する表示項目の変更を受け付ける表示項目変更受付部と、
変更対象として受け付けた表示項目について、各リムーバブルメディアの管理情報を収集し、前記一覧表示画面の表示内容を更新する表示内容更新部と
を有することを特徴とするファイル管理装置。
【請求項３】
請求項１に記載のファイル管理装置において、
リムーバブルメディアに関する管理情報の並び替え条件として使用する表示項目の選択を受け付ける並び替え受付部と、
各リムーバブルメディアに関する管理情報の表示順序を、並び替え条件に従って並び替える表示順序更新部と
を有することを特徴とするファイル管理装置。
【請求項４】
物理的特性を異にする複数種類のストレージメディアを組み合わせて構築したストレージシステムを階層的に管理するファイル管理方法において、
前記ストレージシステムを構成するストレージメディアにリムーバブルメディアの駆動装置が含まれる場合に、
オフライン管理に移行するリムーバブルメディアの検討用に、前記駆動装置に装填されているリムーバブルメディアを一覧表示するとき、
使用開始日時、最終書き込み日時、最終読み出し日時、使用回数、ストレージシステム内の移動パス名、ストレージメディア内の記録位置別のファイル名、ストレージメディアのグループ分け情報及び断片化情報のうち少なくとも１つを表示項目とする一覧表示画面を生成する処理
を有することを特徴とするファイル管理方法。
【請求項５】
物理的特性を異にする複数種類のストレージメディアを組み合わせて構築したストレージシステムを階層的に管理するコンピュータに、
前記ストレージシステムを構成するストレージメディアにリムーバブルメディアの駆動装置が含まれる場合に、
オフライン管理に移行するリムーバブルメディアの検討用に、前記駆動装置に装填されているリムーバブルメディアを一覧表示するとき、
使用開始日時、最終書き込み日時、最終読み出し日時、使用回数、ストレージシステム内の移動パス名、ストレージメディア内の記録位置別のファイル名、ストレージメディアのグループ分け情報及び断片化情報のうち少なくとも１つを表示項目とする一覧表示画面を生成する処理
を実行させることを特徴とするプログラム。
【発明の詳細な説明】
【技術分野】
【０００１】
発明の一つの形態は、物理的特性を異にする複数種類のストレージメディアを組み合わせて構築したストレージシステムを階層的に管理するファイル管理装置に関する。この発明は、ファイル管理方法及びプログラムとしても実現される。
【背景技術】
【０００２】
現在、多くのデータストレージ製品には、階層型ストレージ管理（ＨＳＭ：Hierarchical Storage
Management ）と呼ばれる仕組みが採用されている。
階層型ストレージ管理では、ストレージシステムを構成する複数種類の外部ストレージ（例えば、磁気テープ装置、光学式テープ装置、磁気ディスク装置、光学式ディスク装置等）が階層的に管理される。
この管理手法を採用するストレージシステムでは、参照頻度や使用頻度の高いデータはアクセス速度が高速な装置（例えば、磁気ディスク装置など）に配置され、参照頻度が低いデータはアクセス速度が低速な装置（例えば磁気テープ装置、光学式テープ装置、光学式ディスク装置）に配置される。
すなわち、アクセス速度が高速な（応答速度が短い）ストレージメディアは高い階層に配置され、アクセス速度が低速な（応答速度が遅い）ストレージメディアは低い階層に位置される。
【特許文献１】特開２０００−２００２０５号公報
【発明の開示】
【発明が解決しようとする課題】
【０００３】
ところで、リムーバブルメディアの駆動装置をストレージシステムの一部に有する場合、運用時間が長くなるとリムーバブルメディア上に記録されるデータ量も多くなり、やがて記憶領域が不足してしまう。従って、駆動装置に装填されているリムーバブルメディアのうちの一部を新たなリムーバブルメディアと交換する必要が発生する。
駆動装置に装填されているリムーバブルメディアが複数の場合、交換するリムーバブルメディアを何らかの根拠に従って決定する必要がある。
そこで、現在のファイル管理装置にも、オフライン管理するリムーバブルメディアの検討用に、各リムーバブルメディアについて記録されている使用日時を出力又は表示する機能が搭載されている。一般には、使用日時の古いリムーバブルメディアが排出候補となる。
しかし、オフライン管理に移行するリムーバブルメディアは、使用日時だけでなくシステムの運用ポリシーに応じて柔軟に選択できることが望ましい。
【課題を解決するための手段】
【０００４】
発明者は以上の課題に着目し、リムーバブルメディアの駆動装置に装填されている複数のリムーバブルメディアの中からオフライン管理に移行するリムーバブルメディアを多面的な観点から検討できる技術を提案する。
一つの手法として、発明者は、オフライン管理に移行するリムーバブルメディアの検討用に、前記駆動装置に装填されているリムーバブルメディアを一覧表示するとき、使用開始日時、最終書き込み日時、最終読み出し日時、使用回数、ストレージシステム内の移動パス名、ストレージメディア内の記録位置別のファイル名、ストレージメディアのグループ分け情報及び断片化情報のうち少なくとも１つを表示項目とする一覧表示画面を生成する一覧表示画面生成部を搭載するファイル管理装置を提案する。
【０００５】
なお、ファイル管理装置は、一覧表示画面を構成する表示項目の変更を受け付ける表示項目変更受付部と、変更対象として受け付けた表示項目について、各リムーバブルメディアの管理情報を収集し、一覧表示画面の表示内容を更新する表示内容変更部とを有することが望ましい。
また、ファイル管理装置は、リムーバブルメディアに関する管理情報の並び替え条件として使用する表示項目の選択を受け付ける並び替え受付部と、各リムーバブルメディアに関する管理情報の表示順序を、並び替え条件に従って並び替える表示順序更新部とを有することが望ましい。
これらの技術手法は、ハードウェアとして実現できる他、ソフトウェアとしても実現できる。勿論、処理の実行は、一部処理をハードウェアとして実行し、残る処理をソフトウェアとして実行することもできる。
また、ソフトウェアは、伝送路を通じて配布、頒布するだけでなく、記録媒体に格納した状態で配布等することもできる。
【発明の効果】
【０００６】
この技術手法の採用により、駆動装置から取り出してオフライン管理するリムーバブルメディアの候補を様々な観点から検討することが可能になる。この結果、オフライン管理すべきリムーバブルメディアの選択作業を効率化や最適化を実現できる。
【発明を実施するための最良の形態】
【０００７】
以下、発明に係る技術手法を採用するネットワークシステムの形態例を説明する。
なお、本明細書で特に図示又は記載されない部分には、当該技術分野の周知又は公知技術を適用する。
また以下に説明する実施形態は、発明の一つの実施形態であって、これらに限定されるものではない。
【０００８】
（Ａ）形態例１
（Ａ−１）ネットワークシステム
図１に、ネットワークシステムの構成例を示す。このネットワークシステムは、ネットワーク１に接続されたファイルサーバー３、クライアント端末５、管理者端末７で構成される。
この形態例の場合、ネットワーク１には、遅延や切断の可能性があるＬＡＮ（Local Area Network）を使用する。ＬＡＮのインターフェースには、例えばイーサネット（登録商標）、ＦＤＤＩ（Fiber
Distributed Data Interface）を使用する。また、ネットワークプロトコルには、ＮＦＳ（Network File System ）やＣＩＦＳ（Common
Interface File System）その他を使用する。
クライアント端末５は、ファイルサーバー３を通じてデータファイルを共有するコンピュータ構成のネットワーク装置である。管理者端末７は、ファイルサーバー３を管理するコンピュータ構成のネットワーク装置である。
【０００９】
ファイルサーバー３には、物理的特性を異にする複数種類のストレージメディアで構成される複合型のストレージシステムと、これを階層的に管理するファイル管理装置とで構成される。この形態例の場合、ファイルサーバー３は、メインサーバー１１にキャッシュサーバー１３とオートライブラリ１５を外部接続した構成を採用する。
このうちメインサーバー１１は、ファイル管理部１１Ａと内部記憶領域１１Ｂで構成される。
ファイル管理部１１Ａは、ストレージシステム全体のファイル管理を提供する。この形態例の場合、ファイル管理部１１Ａは、コンピュータ上で実行されるプログラムの一部として実現する。このファイル管理部１１Ａが、特許請求の範囲における「ファイル管理装置」に対応する。
【００１０】
内部記憶領域１１Ｂは、ストレージシステムの一部を構成するメインサーバー１１に内蔵の記憶領域である。この形態例の場合、内部記憶領域１１Ｂは、半導体メモリと磁気ディスク装置（いわゆるハードディスク装置）で構成する。内部記憶領域１１Ｂを構成する磁気ディスク装置には、経済性よりも可用性と信頼性を優先する。例えば、ＲＡＩＤ（Redundant Array of Inexpensive Disks ）構成のハードディスク装置を使用する。
キャッシュサーバー１３は、メインサーバー１１の下位階層として管理される記憶デバイスである。この形態例の場合、キャッシュサーバー１３には、ランダムアクセス可能な大容量記憶デバイスを使用する。例えば、磁気ディスク装置を使用する。この形態例の場合、キャッシュサーバー１３を構成する磁気ディスク装置には、信頼性よりも経済性を優先する。例えば、ＩＤＥハードディスク装置を使用する。
【００１１】
オートライブラリ１５は、キャッシュサーバー１３の更に下位階層として管理される大容量の記憶デバイスである。オートライブラリ１５には、複数個のリムーバブルメディアが収容されている。この形態例の場合、リムーバブルメディアには、光ディスクを使用する。もっとも、リムーバブルメディアには、磁気テープを使用することもできる。オートライブラリ１５には、リムーバブルメディアに対応した装置を使用する。
棚（倉庫）１７は、オートライブラリ１５から排出したリムーバブルメディアを格納する空間である。すなわち、前述したメインサーバー１１、キャッシュサーバー１３及びオートライブラリ１５はオンラインアクセスが可能であったのに対し、棚（倉庫）１７は人手を介在した作業を必須とする。
【００１２】
（Ａ−２）メインサーバー
（ａ）ハードウェア構成
図２に、メインサーバー１１のハードウェア構成例を示す。メインサーバー１１は、中央処理装置（ＣＰＵ）１１１Ａと、主記憶装置１１１Ｂと、副記憶装置１１１Ｃと、ＲＡＩＤストレージ１１１Ｄと、接続ポート１１１Ｅ１〜１１１Ｅ３とで構成される。
このうち、接続ポート１１１Ｅ１は、ネットワーク１との接続用である。接続ポート１１１Ｅ２は、キャッシュサーバー１３との接続用である。接続ポート１１１Ｅ３は、オートライブラリ１５との接続用である。
ＣＰＵ１１１Ａは、コンピュータの制御と命令の取り込み、実行を担当する。ストレージシステムを階層的に管理する機能（ファイル管理部１１Ａ）は、ＣＰＵ１１１Ａで実行されるプログラムを通じて実現される。
【００１３】
主記憶装置１１１Ｂは、基本プログラムやデータファイルの保存領域として使用される記憶領域である。主記憶装置１１１Ｂは、ＲＯＭ（Read Only Memory）及びＲＡＭ（Random Access Memory）で構成する。このうち、ＲＯＭは、基本入出力システム、ファームウェア、制御ソフトウェアの記憶領域に使用する。また、ＲＡＭは、読み書きの対象であるデータファイルの記憶領域に使用する。ＲＡＭは、図１の内部記憶領域１１Ｂを構成する。
副記憶装置１１１Ｃは、アプリケーションプログラムや処理データの保存領域として使用される記憶領域である。副記憶装置１１１Ｃは、例えばハードディスク装置その他の記憶媒体（例えばＣＤ−ＲＯＭ）の駆動装置で構成する。この副記憶装置１１１Ｃが、ＣＰＵ１１１Ａにファイル管理部１１Ａとしての機能を実行させる制御プログラムが記録されている。
【００１４】
ＲＡＩＤストレージ１１１Ｄは、読み書きの対象であるデータファイルの記憶領域である。このＲＡＩＤストレージ１１１Ｄも、図１の内部記憶領域１１Ｂを構成する。
この形態例の場合、ＲＡＩＤストレージ１１１Ｄには、ストライピング方式（ＲＡＩＤ
０）とミラーリング方式（ＲＡＩＤ １）を組み合わせたハードディスクアレイ装置を採用する。
この構成により、ＲＡＩＤストレージ１１１Ｄは、高信頼性とランダムアクセス性を保持する。なお、ＲＡＩＤストレージ１１１Ｄには、ファイルシステムと各データファイルに固有の識別子ＩＤを関連付けるデーターベースも記録する。ファイル管理部１１Ａは、このデーターベースを参照してデータファイルの階層管理を実現する。
また、この形態例の場合、ＲＡＩＤストレージ１１１Ｄは、データファイルを構成するヘッダ（拡張ヘッダを含む。）と実データ部のうち、ヘッダ部分を記録する。従って、階層間の移動は実データについてのみ実行される。ヘッダ部分が分離されていることで、実データの移動中にもデータファイルに関する管理情報の取得が可能になる。
【００１５】
図３に、データーベースの一例を示す。図３は、リムーバブルメディア別のデーターベース例である。なお、データーベースには、他のストレージメディアに関するデーターベース、データファイル別のデーターベース、論理階層別のデーターベースもある。
リムーバブルメディア別のデーターベースには、“識別子（ＩＤ）”に、“メディア名”、“ライブラリ名”、“使用日時”、“使用開始日時”、“最終書き込み（Ｗ）日時”、“最終読み出し（Ｒ）日時”、“使用回数”、“移動パス名”、“グループ情報”、“空容量”、“解放容量（Released Capacity）／フラグメント”、“ファイル名”、その他の情報が関連付けて記録されている。
“メディア名”は、リムーバブルメディアに固有の名称である。
“ライブラリ名”は、リムーバブルメディアが装填されている駆動装置又はスロットを特定する情報をいう。
“使用日時”は、リムーバブルメディアからデータファイルを読み出した又はリムーバブルメディアにデータファイルを書き込んだ最終（最新）日をいう。
【００１６】
“使用開始日時”は、文字通りリムーバブルメディアの使用を開始した日をいう。
“最終書き込み（Ｗ）日時”は、リムーバブルメディアにデータファイルを書き込んだ最後（最新）の日を意味する。
“最終読み出し（Ｒ）日時”は、リムーバブルメディアからデータファイルを読み出した最後（最新）の日を意味する。
“使用回数”は、リムーバブルメディアに対するアクセス回数をいう。
“移動パス名”は、移動されるデータファイルの本ストレージシステム内のパス名をいう。
“グループ情報”は、複数のメディアがグループ分けされている場合の情報をいう。
“空容量”は、リムーバブルメディアのうち未使用領域の容量をいう。
“解放容量／フラグメント”は、断片化されたデータが占有する記憶容量と占有割合の断片化情報をいう。
“ファイル名”は、本ストレージメディア内の任意の記録位置別のファイル名をいう。
これらの情報は、データファイルの移動ポリシーに従って、リムーバブルメディアにアクセスがあるたびに更新される。
【００１７】
（ｂ）機能構成（ファイル管理部）
図４に、メインサーバー１１上で機能するファイル管理部１１Ａとしての機能構成例を示す。ファイル管理部１１Ａは、アプリケーションプログラムを通じて実現される。
ファイル管理部１１Ａは、階層管理部１１Ａ１と一覧表示画面生成部１１Ａ２で構成される。
階層管理部１１Ａ１は、物理的特性を異にする複数種類のストレージメディアを組み合わせて構築したストレージシステムを階層的に管理する処理機能を提供する。階層管理部１１Ａ１は、ストレージシステムを構成するストレージメディアを図５に示す階層構造により管理する。すなわち、５つの階層区分の最上位から順番にＲＡＭ、ＲＡＩＤストレージ１１１Ｄ、キャッシュサーバー１３、オートライブラリ１５、棚（倉庫）１７対応付けて管理する。
【００１８】
図５に示すように、アクセス速度は階層が高いほど速く、階層が低いほど遅くなる。なお、オンラインアクセス可能な階層範囲のうち最も下位の階層にはオートライブラリ１５が位置する。また、図５に示す各階層の面積は、各階層の記憶領域のおおよその関係を示している。すなわち、階層が高いほど記憶領域が小さく、階層が低いほど記憶領域は大きい関係にある。
ファイル管理部１１Ａは、この５つの階層区分にデータファイルに対するアクセス頻度を対応付けて管理する。
図６に、各階層区分とアクセス頻度との対応関係を示す。この形態例の場合、ＲＡＭには「非常に良く使う」データファイルが保存され、ＲＡＩＤストレージ１１１Ｄには「良く使う」データファイルが保存され、キャッシュサーバー１３には「たまに使う」データファイルが保存され、オートライブラリ１５には「ほとんど使わない」データファイルが保存され、棚（倉庫）１７にはリムーバブルメディアに格納された「通常は使わないが保管が必要」なデータファイルが保存される。
【００１９】
ファイル管理部１１Ａは、各データファイルの使用履歴を管理しており、階層区分間の移動条件を満たすことを条件に階層間のデータ移動を実行する。なお、ファイル管理部１１Ａは、階層移動に伴ってデーターベース（図３）を更新する。
一覧表示画面生成部１１Ａ２は、オフライン管理するリムーバブルメディアの検討用に、オートライブラリ１５に装填されているリムーバブルメディアについて、“メディア名”、“状態”、“使用率”、“ライブラリ名”、“使用開始日時”、“空容量”、“解放容量／フラグメント”を表示項目に含む一覧表示画面を生成する処理機能を提供する。
この一覧表示画面生成部１１Ａ２は、管理者端末７からオフライン管理候補の検討用画面（又は、確認用画面）の表示が指示された場合に実行される。
一覧表示画面生成部１１Ａ２は、リムーバブルメディアのデーターベース（図３）を参照し、現在階層管理中のリムーバブルメディアについての使用状況を表示する。
【００２０】
（Ａ−３）動作例
前述した処理機能を搭載したメインサーバー１１で構築されたネットワーク上での処理動作例を説明する。
（ａ）階層間の移動時の動作（リムーバブルメディアへのアクセス時）
図７に、階層間の移動ポリシーに従い、オートライブラリ１５内のリムーバブルメディアがアクセスされる場合の処理手順例を示す。
なお、リムーバブルメディアがアクセスされる場合には、データファイルの下位階層への移動時と上位階層への移動時とがある。下位階層への移動は、リムーバブルメディアへの書き込みとして実行される。一方、上位階層への移動は、リムーバブルメディアからの読み出しとして実行される。
このアクセスの検出時、ファイル管理部１１Ａは、アクセス対象のリムーバブルメディアに関する状態情報を更新する（Ｐ１）。すなわち、“使用日時”、“使用開始日時”、“最終書き込み（Ｗ）日時”、“最終読み出し（Ｒ）日時”、“使用回数”、“移動パス名”、“グループ情報”、“空容量”、“解放容量／フラグメント”を更新する。
【００２１】
（ｂ）オフライン管理に移行するリムーバブルメディアを検討する際の動作
図８に、オートライブラリ１５からリムーバブルメディアを取り出す機能が選択された場合の処理手順例を示す。
この場合、ファイル管理部１１Ａは、予め設定された固定の表示項目で構成される一覧表示画面を生成する（Ｐ１１）。一覧表示画面を構成するリムーバブルメディア及び表示項目に対応する情報はデーターベースから読み出される。
このとき、ファイル管理部１１Ａは、各リムーバブルメディアについて、“メディア名”、“状態”、“使用率”、“ライブラリ名”、“使用開始日時”、“空容量”、“解放容量／フラグメント”を表示項目とする一覧表示画面を生成する。
【００２２】
図９に、一覧表示画面例を示す。この一覧表示画面には、リムーバブルメディアの収集範囲を確定する駆動装置欄２１と選択入力欄２３とが設けられている。
図９の場合、選択入力欄２３の選択は“ＡＬＬ”である。このとき、ファイル管理部１１Ａは、ストレージシステムを構成する全てのオートライブラリ１５が情報の収集範囲となる。なお、ストレージシステムを構成するオートライブラリ１５の台数は１台でも良いし、複数台でも良い。
勿論、選択入力欄２３では、特定のオートライブラリ１５を指定することも可能である。オートライブラリ１５の指定は、選択入力欄２３に付属するプルダウンボタン２５を使用する。プルダウンボタン２５を操作すると、選択入力欄２３が下方に拡大され、選択可能なオートライブラリ１５が一覧表示される。
【００２３】
図９は、１台のオートライブラリ１５に５つのリムーバブルメディア“Ａ０４ＧＨ４”、“Ａ０４ＧＨ３”、“Ａ０４４８Ｈ”、“Ａ０４４８Ｂ”、“Ａ０５０Ｈ５”が装填された状態を表している。
例えば“Ａ０４ＧＨ４”の場合、表示項目に対応する複数の情報を一度に確認できる。
まず、リムーバブルメディアの状態は“ＯＫ”であることが分かる。なお、リムーバブルメディアの“状態”には、他に“ＦＵＬＬ”、“Ｒｅａｄ  Ｏｎｌｙ”、“ＮＧ”がある。
また、リムーバブルメディアの使用率は、“０”であることが分かる。図９では、各リムーバブルメディアのデータ占有率が視覚的に表示されている。すなわち、表示欄の幅を１００％としてデータ占有率が棒グラフとして表されている。
また、リムーバブルメディアは、ライブラリ１５の“スロット５”に装填されていることが分かる。
【００２４】
また、リムーバブルメディアの使用開始日時は、“２００４／０６／２１”であることが分かる。
また、リムーバブルメディアの空容量は、“１００ＧＢ”であることが分かる。
また、リムーバブルメディアの解放容量は０ＧＢで、フラグメントは０％であることが分かる。
このように、１つの画面内でリムーバブルメディアに関する複数の項目を一度に判断することが可能になる。特に、従来システムでは、単に使用日時が古い又は新しいだけで判断されがちであったが、使用開始日時や解放容量／フラグメントも含めた総合的な判断を下すことが可能になる。
なお、“使用開始日時”を重視すれば、使用開始日時の古いものを優先的にオフライン管理すべきとの判断が可能になる。また、“解放容量／フラグメント”を重視すれば、断片化の状態が激しいものを優先的にオフライン管理すべきとの判断が可能になる。
【００２５】
図９には、５つのリムーバブルメディアが一覧表示されるので、これらのうちでオフライン管理する１つ又は複数のリムーバブルメディアを柔軟に選択することが可能になる。なお、オフライン管理するリムーバブルメディアが決まると、各メディア名に対応する“ライブラリ名”に記載されているスロット位置からリムーバブルメディアを取り出せば良い。
なお、図９では、ファイル管理部１１Ａがリムーバブルメディアへのアクセス時に記録する情報のうち“メディア名”、“ライブラリ名”、“使用開始日時”、“空容量”、“解放容量／フラグメント”の５つを固定的に表示したが、事前の設定によってはこれらの表示項目に代えて、“使用日時”、“最終書き込み（Ｗ）日時”、“最終読み出し（Ｒ）日時”、“使用回数”、“移動パス名”、“ファイル名”、“グループ情報”のうちの幾つかを表示することもできる。
また、“メディア名”、“ライブラリ名”に対して“使用開始日時”、“最終書き込み（Ｗ）日時”、“最終読み出し（Ｒ）日時”、“使用回数”、“移動パス名”、“ファイル名”、“グループ情報”及び“解放容量／フラグメント”の表示項目は１つだけでもよい。
【００２６】
利用者は、例えば“使用日時”を重視すれば、最後に使用されてから最も時間が経過したものを優先的にオフライン管理すべきとの判断が可能になる。
また例えば、“最終書き込み（Ｗ）日時”を重視すれば、最後に書き込まれてから最も時間が経過しているものを優先的にオフライン管理すべきとの判断が可能になる。
また例えば、“最終読み出し（Ｒ）日時”を重視すれば、最後に読み出されてから最も時間が経過しているものを優先的にオフライン管理すべきとの判断が可能になる。
また例えば、“使用回数”を重視すれば、使用回数の少ないものを優先的にオフライン管理すべきとの判断が可能になる。
また例えば、“移動パス名”を重視すれば、特定のパスやディレクトリに属するものを優先的にオフライン管理すべきとの判断が可能になる。
また例えば、“グループ情報”を重視すれば、特定のグループに属するものを優先的にオフライン管理すべきとの判断が可能になる。
【００２７】
（Ａ−４）効果
以上説明した一覧表示画面を用いれば、複数の表示項目の情報を参照しつつオフライン管理するリムーバブルメディアを検討することができる。すなわち、単に空容量の少ないものや使用日時の古いものをオフライン管理に移行する以外の判断が可能になる。
この結果、管理されるデータファイルの特性や運用ポリシーを柔軟に繁栄したストレージシステムの管理手法を実現できる。
【００２８】
（Ｂ）形態例２
形態例１では、表示項目が事前に設定されている場合について説明したが、この形態例では、一覧表示画面を構成する表示項目を任意に変更できる機能を搭載したファイル管理方法について説明する。
なお、ネットワーク構成及びメインサーバー１１のハードウェア構成は形態例１と同じものとする。
【００２９】
（Ｂ−１）機能構成（ファイル管理部）
図１０に、メインサーバー１１上で機能するファイル管理部１１Ａ’の機能構成例を示す。図１０は、図４との対応部分に同一符号を付して示す。勿論、ファイル管理部１１Ａ’は、アプリケーションプログラムを通じて実現される。
ファイル管理部１１Ａ’は、階層管理部１１Ａ１と、一覧表示画像生成部１１Ａ２と、表示項目変更受付部１１Ａ３と、表示内容変更部１１Ａ４とで構成される。
階層管理部１１Ａ１には、ファイル管理部１１Ａ（図４）と同じものを使用する。すなわち、階層管理部１１Ａ１は、ストレージシステム内の階層移動を管理する。そして、データファイルの読み出しが指示された場合には、階層管理部１１Ａ１は、データーベースを参照してストレージメディアからデータファイルを読み出す。
一覧表示画像生成部１１Ａ２も、ファイル管理部１１Ａ（図４）と同じものを使用する。すなわち、一覧表示画像生成部１１Ａ２は、オフライン管理するリムーバブルメディアの検討用に、オートライブラリ１５に装填されているリムーバブルメディアについて、事前に設定された表示項目の一覧表示画面を生成する処理機能を提供する。
【００３０】
表示項目変更受付部１１Ａ３は、一覧表示画面を構成する表示項目の選択を受け付ける処理機能を提供する。
表示項目変更受付部１１Ａ３の搭載により、管理者は、一覧表示画面を構成する表示項目を運用ポリシーに適合したものに自由に変更できる。
この形態例では、任意の表示項目を画面上で指定し、該当する表示項目を複数の項目の中から選択する手法を採用する。
例えば、使用日時、使用開始日時、最終書き込み日時、最終読み出し日時、使用回数、移動パス名、グループ情報、空容量、解放容量／フラグメントの中から選択する。
表示内容更新部１１Ａ４は、選択された表示項目について、各リムーバブルメディアの表示内容を変更する処理機能を提供する。
【００３１】
（Ｂ−２）動作例
図１１に、オートライブラリ１５からリムーバブルメディアを取り出す機能が選択された場合の処理手順例を示す。
この場合、ファイル管理部１１Ａ’は、予め設定された固定の表示項目で構成される一覧表示画面を生成する（Ｐ２１）。この処理動作は、基本的に形態例１と同じである。
図１２に、一覧表示画面例を示す。基本的なレイアウトは、形態例１（図９）と同じである。ただし、この一覧表示画面には、表示項目の変更を受け付ける選択入力欄２５が設けられている点で異なる。なお、選択入力欄２７にはプルダウンボタン２９が設けられている。プルダウンボタン２９を操作すると、選択入力欄２７が下方に拡大され、選択可能な表示項目が一覧表示される。
【００３２】
図１２は、“使用開始日時”の項目が選択された状態を示している。
ファイル管理部１１Ａ’は、一覧表示画面が表示された状態で、表示項目の変更が指示されたか否かを判定する（Ｐ２２）。否定結果が得られた場合、ファイル管理部１１Ａ’は、現在の表示を維持する。
一方、肯定結果が得られた場合、ファイル管理部１１Ａ’は、選択入力欄２５を通じて選択された表示項目に関する各リムーバブルメディアの情報を収集し、選択された表示項目の表示内容を選択された表示項目の内容に変更する。
図１２は、選択入力欄２５で“使用回数”が選択された状態を示す。表示内容が変更されると、管理者は、各リムーバブルメディアが最後に使用された日時を比較検討して、オフライン管理に移行するリムーバブルメディアを選択することができる。
【００３３】
（Ｂ−３）効果
以上説明した一覧表示画面を用いれば、管理者が表示項目を自由に変更できるため、リムーバブルメディアの管理状態を様々な観点から検討することができる。すなわち、表示項目の任意の組み合わせについて、オフライン管理するリムーバブルメディアを検討できる。
また、一覧表示画面を構成する任意の表示項目を変更できるため、使い勝手の良いレイアウトを自由に実現できる。
【００３４】
（Ｃ）形態例３
形態例２では、表示項目を任意に変更できる機能を搭載した一覧表示画面例について説明したが、この形態例では、任意の表示項目について選択した並び替え条件に従って、各リムーバブルメディアに関する管理情報の並びを変更できる機能を搭載したファイル管理方法について説明する。
この形態例の場合も、ネットワーク構成及びメインサーバー１１のハードウェア構成は形態例１と同じものとする。
【００３５】
（Ｃ−１）機能構成（ファイル管理部）
図１３に、メインサーバー１１上で機能するファイル管理部１１Ａ”の機能構成例を示す。図１３は、図４との対応部分に同一符号を付して示している。勿論、ファイル管理部１１Ａ”も、アプリケーションプログラムを通じて実現される。
ファイル管理部１１Ａ”は、階層管理部１１Ａ１と、一覧表示画像生成部１１Ａ２と、並び替え受付部１１Ａ５と、表示順序更新部１１Ａ６とで構成される。
階層管理部１１Ａ１及び一覧表示画像生成部１１Ａ２の構成は、形態例１のファイル管理部１１Ａと同じである。
【００３６】
並び替え受付部１１Ａ５は、リムーバブルメディアに関する情報の並び替えに使用する表示項目の選択を受け付ける処理機能部である。
並び替え受付部１１Ａ５の搭載により、管理者は、一覧表示画面上のリムーバブルメディアの並びを特定の表示項目について整列できる。例えば、特定の表示項目について、一覧表示画面上のリムーバブルメディアの並びを昇順又は降順に変更できる。この表示機能の搭載により、選択した表示項目についてのリムーバブルメディア間の大小関係が明確かつ簡易に理解することができる。従って、オフライン管理すべきリムーバブルメディアの選択判断が容易になる。
なお、リムーバブルメディアの表示順序の並び替えは、特定の表示項目についてだけでなく、複数の表示項目の組み合わせについて実行することもできる。この形態例のファイル管理部１１Ａ”は、複数の表示項目の組み合わせ条件についての並び替え機能に対応するものとする。
表示順序更新部１１Ａ６は、選択された表示項目について、各リムーバブルメディアに関連する情報の並びを変更して表示する処理機能を提供する。
【００３７】
（Ｃ−２）動作例
図１４に、オートライブラリ１５からリムーバブルメディアを取り出す機能が選択された場合の処理手順例を示す。
この場合、ファイル管理部１１Ａ”は、予め設定された固定の表示項目で構成される一覧表示画面を生成する（Ｐ３１）。この処理動作は、基本的に形態例１と同じである。
図１５に、一覧表示画面例を示す。基本的なレイアウトは、形態例１（図９）と同じである。ただし、この一覧表示画面には、特定の表示項目についての並び替えを受け付けるボタン３１ａ、３１ｂが表示項目毎に設けられている。ボタン３１ａは、対応する表示項目の情報について、リムーバブルメディアを昇順で並び替えるために設けられている。一方、ボタン３１ｂは、対応する表示項目の情報について、リムーバブルメディアを降順で並び替えるために設けられている。
【００３８】
また、この一覧表示画面には、複数の表示項目の組み合わせ条件についての並び替えを実現する選択ボタン３３が設けられている。選択された表示項目の選択ボタン３３には、黒丸が付される。図１５の場合、“使用日時”と“空容量”の２つが選択されている。
なお、並び替え処理には、いずれの表示項目を優先するかを決定する必要がある。図１５の場合、第１条件（優先順位１）の表示項目を大きい黒丸で示し、第２条件（優先順位２）の表示項目を小さい黒丸で示す。従って、図１５では、“使用開始日時”を第１条件として並び替えが実行され、同位のリムーバブルメディアについては“空容量”を第２条件として並び替えが実行される。
なお、並び替えの順位は、選択ボタン３３の色の違いで表すこともできる。例えば、第１条件に選択された表示項目に対応する選択ボタン３３を赤色とし、第２条件に選択された表示項目に対応する選択ボタン３３を緑色としても良い。
【００３９】
ファイル管理部１１Ａ”は、この一覧表示画面が表示された状態で、並び替えが指示されたか否かを判定する（Ｐ３２）。否定結果が得られた場合、ファイル管理部１１Ａ”は、現在の表示を維持する。
一方、肯定結果が得られた場合、ファイル管理部１１Ａ”は、選択ボタン３３を通じて選択された表示項目について並び替え処理を実行し、並び替え後の内容で表示内容を変更する（Ｐ３３、Ｐ３４）。
勿論、並び替え条件として複数の表示項目が選択された場合、ファイル管理部１１Ａ”は、複数の表示項目について並び替え処理を実行する。
図１６は、“使用率”で並び替え処理を実行し、管理情報が同位のリムーバブルメディアは、“使用開始日時”で順位付けが実行する場合の例を示す。
【００４０】
（Ｃ−３）効果
以上説明した一覧表示画面を用いれば、特定の表示項目又は複数の表示項目に関する表示項目について順位付けた状態でリムーバブルメディアの管理情報の表示順位を並び替えることができる。
この結果、オフライン管理するリムーバブルメディアの候補を様々な並び替え条件について検討できる。
なお、一覧表示画面には、図１６に示すレイアウトを採用することもできる。この一覧表示画面では、第１の並び替え条件選択欄３５ａと第２の並び替え条件選択欄３５ｂを一覧表示画面上に配置する。
第１の並び替え条件選択欄３５ａと第２の並び替え条件選択欄３５ｂには、プルダウンボタン３７ａと３７ｂが設けられている。各プルダウンボタンを操作すると、対応する並び替え条件選択欄が下方に拡大され、選択可能な表示項目が一覧表示される。
この一覧表示画面の場合、並び替え条件の優先関係が明確であり、高い操作性が期待される。
【００４１】
（Ｄ）他の形態例
（ａ）前述の形態例では、リムーバブルメディアとして、磁気テープや光ディスクを用いる場合について説明した。しかし、半導体メモリを用いても良い。
（ｂ）前述の形態例では、ストレージシステムを構成するストレージメディアの配置形態について特に説明しなかったが、ストレージメディアの配置形態は任意である。例えば、いずれのストレージも同一の場所又は同一の空間に配置されていても良い。その反対に、それぞれ別の場所又は別の空間に配置されていても良い。
（ｃ）前述の形態例では、ストレージメディア間の接続形態について特に説明しなかったが、ストレージメディア間の接続形態も任意である。接続形態は、有線接続であっても、無線接続でも良い。また、ネットワーク経由で接続しても、専用線経由で接続しても良い。ストレージメディア間の通信プロトコルについても同様である。
【００４２】
（ｄ）前述の形態例では、オンラインアクセス可能なストレージシステムを４階層で構成する場合について説明した。
しかし、ストレージシステムの管理階層の数はこれに限らない。また、オフライン階層を有しないストレージシステムにも適用できる。
（ｅ）前述の形態例では、オンラインアクセス可能なストレージメディアの最下位層にオートライブラリ１５を配置する場合について説明したが、オートローダーと呼ばれるリムーバブルメディアの収容装置（駆動装置）にも適用できる。
（ｆ）前述の形態例では、表示項目の変更機能とリムーバブルメディアの並び替え機能とをそれぞれ個別に有する場合について説明した。
しかし、これら形態例２及び３に記載した機能を組み合わせても良い。この場合、オフライン管理の対象を一段と自由な観点から検討できる。
【００４３】
（ｇ）前述の形態例では、ファイル管理部の機能を実現するプログラムをメインサーバー１１上で実行する場合について説明した。
しかし、このプログラムは、クライアント端末５や管理者端末７上で実行されても良い。
（ｈ）前述の形態例は、各種用途に応じたデジタル資産を管理するのに応用できる。例えば、デジタル映像データの蓄積に使用できる。映像ビジネスに係わる全ての事業分野（家庭内システムも含む。）に適用できる。
また例えば、金融データの蓄積に使用できる。例えば帳票データ、伝票データ、金融取引データの蓄積に使用できる。
また例えば、ネットワーク経由で送受されるデータの蓄積に使用できる。例えば、電子メール、Ｗｅｂページ、通信記録の蓄積に使用できる。
また例えば、出版関連データの蓄積に使用できる。例えば版下データ、地図データその他のデジタルコンテンツの蓄積に使用できる。
また例えば、医療データの蓄積に使用できる。例えばレントゲン画像、ＭＲＩ（Magnetic resonance imaging ）画像、カルテデータ、予約データその他の蓄積に使用できる。
また例えば、各種団体・機関の文書の蓄積に使用できる。例えば行政機関、司法機関、立法機関その他の公的文書の蓄積に使用できる。また、社内文書の蓄積にも使用できる。なお個人文書の蓄積にも使用できる。
また例えば、製図データの蓄積にも使用できる。例えばＣＡＤ（Computer Aided Design）データ、ＣＡＭ（Computer Aided Manufacturing） データ、ＣＡＥ（Computer-Aided
Engineering ）データの蓄積にも使用できる。
（ｉ）前述の形態例には、発明の趣旨の範囲内で様々な変形例が考えられる。また、本明細書の記載に基づいて創作される各種の変形例及び応用例も考えられる。
【図面の簡単な説明】
【００４４】
【図１】ネットワークシステムの機能構成例を示す図出ある。
【図２】メインサーバーのハードウェア構成例を示す図である。
【図３】データーベースの一例を示す図である。
【図４】メインサーバーの機能構成例を示す図である（形態例１）。
【図５】ストレージメディアの階層構造を示す図である。
【図６】ストレージメディアの階層管理ポリシーを示す図である。
【図７】階層間の移動時の処理手順例を示す図である。
【図８】オフライン管理に移行するリムーバブルメディアを検討する際の処理手順例を示す図である（形態例１）。
【図９】一覧表示画面の表示例を示す図である（形態例１）。
【図１０】メインサーバーの機能構成例を示す図である（形態例２）。
【図１１】オフライン管理に移行するリムーバブルメディアを検討する際の処理手順例を示す図である（形態例２）。
【図１２】一覧表示画面の表示例を示す図である（形態例２）。
【図１３】メインサーバーの機能構成例を示す図である（形態例３）。
【図１４】オフライン管理に移行するリムーバブルメディアを検討する際の処理手順例を示す図である（形態例３）。
【図１５】一覧表示画面の表示例を示す図である（形態例３）。
【図１６】一覧表示画面の表示例を示す図である（形態例３）。
【符号の説明】
【００４５】
１    ネットワーク
３    ファイルサーバー
５    クライアント端末
７    管理者端末
１１    メインサーバー
１１Ａ、１１Ａ’、１１Ａ”    ファイル管理部
１１Ａ１    階層管理部
１１Ａ２    一覧表示画面生成部
１１Ａ３    表示項目変更受付部
１１Ａ４    表示内容変更部
１１Ａ５    並び替え受付部
１１Ａ６    表示順序更新部
１３    キャッシュサーバー
１５    オートライブラリ
１７    棚（倉庫）
【図１】
2006302012.tif 000003
【図２】
2006302012.tif 000004
【図３】
2006302012.tif 000005
【図４】
2006302012.tif 000006
【図５】
2006302012.tif 000007
【図６】
2006302012.tif 000008
【図７】
2006302012.tif 000009
【図８】
2006302012.tif 000010
【図９】
2006302012.tif 000011
【図１０】
2006302012.tif 000012
【図１１】
2006302012.tif 000013
【図１２】
2006302012.tif 000014
【図１３】
2006302012.tif 000015
【図１４】
2006302012.tif 000016
【図１５】
2006302012.tif 000017
【図１６】
2006302012.tif 000018